(57)【要約】【課題】安定した光学性能を有するレンズ鏡筒、撮像装置。【解決手段】レンズ鏡筒であって、案内軸と、案内軸と摺動可能に嵌合する第１嵌合部と、第１カムフォロアと、第１光学部材と、を有する第１保持部材と、案内軸と摺動可能に嵌合する第２嵌合部と、第２カムフォロアと、第２光学部材と、を有する第２保持部材と、案内軸に沿って配され、第１嵌合部及び第２嵌合部を案内軸の軸方向に付勢する付勢部と、を備え、第１カムフォロアと第１嵌合部とは、第１保持部材の異なる位置にそれぞれ配置され、第２カムフォロアと第２嵌合部とは、第２保持部材の異なる位置にそれぞれ配置される。【選択図】図３
2018169634.tif 000002
【特許請求の範囲】
【請求項１】
案内軸と、
前記案内軸と摺動可能に嵌合する第１嵌合部と、第１カムフォロアと、第１光学部材と、を有する第１保持部材と、
前記案内軸と摺動可能に嵌合する第２嵌合部と、第２カムフォロアと、第２光学部材と、を有する第２保持部材と、
前記案内軸に沿って配され、前記第１嵌合部及び前記第２嵌合部を前記案内軸の軸方向に付勢する付勢部と、を備え、
前記第１カムフォロアと前記第１嵌合部とは、前記第１保持部材の異なる位置にそれぞれ配置され、
前記第２カムフォロアと前記第２嵌合部とは、前記第２保持部材の異なる位置にそれぞれ配置される
レンズ鏡筒。
【請求項２】
案内軸と、
第１光学部材を保持する第１保持部材と、
前記第１保持部材の第１位置に設けられ、前記案内軸と摺動可能に嵌合する第１嵌合部と、
前記第１保持部材の第２位置に設けられる第１カムフォロアと、
第２光学部材を保持する第２保持部材と、
前記第２保持部材の第３位置に設けられ、前記案内軸と摺動可能に嵌合する第２嵌合部と、
前記第２保持部材の第４位置に設けられる第２カムフォロアと、
前記第１嵌合部と前記第２嵌合部とを前記案内軸の軸方向に付勢する付勢部と、を備える
レンズ鏡筒。
【請求項３】
前記第１保持部材の前記第１位置と、前記第１保持部材の前記第２位置とは、異なる位置であり、
前記第２保持部材の前記第３位置と、前記第２保持部材の前記第４位置とは、異なる位置である
請求項２に記載のレンズ鏡筒。
【請求項４】
前記第１保持部材は、前記付勢部によって、前記第１カムフォロアを中心とした回転方向に移動可能であり、
前記第２保持部材は、前記付勢部によって、前記第２カムフォロアを中心とした回転方向に移動可能である
請求項１から請求項３の何れか１項に記載のレンズ鏡筒。
【請求項５】
前記付勢部によって前記第１保持部材が移動可能な回転方向と、前記付勢部によって前記第２保持部材が移動可能な回転方向とは、同一の方向である
請求項４に記載のレンズ鏡筒。
【請求項６】
前記案内軸に対する前記第１光学部材の傾き方向と、前記案内軸に対する前記第２光学部材の傾き方向とは、同一の方向である
請求項４又は請求項５に記載のレンズ鏡筒。
【請求項７】
前記第１カムフォロアと前記第２カムフォロアとは、光軸を中心とする周方向において前記案内軸に対して反対側に配される
請求項１から請求項６のいずれか１項に記載のレンズ鏡筒。
【請求項８】
光軸を中心とする周方向に沿って、前記第１カムフォロア、前記案内軸、前記第２カムフォロアの順に配置される
請求項７に記載のレンズ鏡筒。
【請求項９】
前記付勢部は、前記第１嵌合部と前記第２嵌合部とが離れる方向に付勢する
請求項１から請求項８の何れか１項に記載のレンズ鏡筒。
【請求項１０】
前記第１カムフォロアと前記第２カムフォロアとは、光軸を中心とする周方向において前記案内軸に対して同じ側に配され、
前記付勢部は、前記第１嵌合部を付勢する第１付勢部と、前記第２嵌合部を付勢する第２付勢部とを有する請求項１から請求項６の何れか１項に記載のレンズ鏡筒。
【請求項１１】
前記第１カムフォロアと前記第２カムフォロアと前記案内軸との光軸を中心とする周方向に沿った配置は、前記案内軸が右端又は左端に配置される
請求項１０に記載のレンズ鏡筒。
【請求項１２】
前記第１付勢部が前記第１嵌合部を付勢する方向と、前記第２付勢部が前記第２嵌合部を付勢する方向とは、同一の方向である
請求項１０又は請求項１１に記載のレンズ鏡筒。
【請求項１３】
案内軸と、
前記案内軸に対して摺動可能に嵌合する嵌合部とカムフォロアとを有し、レンズを保持するレンズ保持枠と、
前記嵌合部を付勢する付勢部と、を備え、
前記レンズ保持枠は、前記付勢部によって、前記カムフォロアを中心とした回転方向に移動可能である
レンズ鏡筒。
【請求項１４】
前記付勢部は、前記案内軸が挿入される請求項１から請求項１３の何れか１項に記載のレンズ鏡筒。
【請求項１５】
請求項１から請求項１４のいずれか１項に記載のレンズ鏡筒を備える撮像装置。
【発明の詳細な説明】
【技術分野】
【０００１】
本発明は、レンズ鏡筒及び撮像装置に関する。
【背景技術】
【０００２】
撮像装置に用いられるレンズ鏡筒において、複数のレンズをガイドバーで支持するレンズ鏡筒が知られている。
［先行技術文献］
［特許文献］
［特許文献１］特開平０６−１７４９９８号公報
【発明の概要】
【発明が解決しようとする課題】
【０００３】
上記レンズ鏡筒において、ガイドバーとレンズ保持部材との嵌合部には、摺動のための隙間が存在する。その隙間のガタ寄せの方向が変わると各レンズのティルト方向が変動するので、安定した光学性能が得られない。
【課題を解決するための手段】
【０００４】
本発明の第一態様として、案内軸と、前記案内軸と摺動可能に嵌合する第１嵌合部と、第１カムフォロアと、第１光学部材と、を有する第１保持部材と、前記案内軸と摺動可能に嵌合する第２嵌合部と、第２カムフォロアと、第２光学部材と、を有する第２保持部材と、前記案内軸に沿って配され、前記第１嵌合部及び前記第２嵌合部を前記案内軸の軸方向に付勢する付勢部と、を備え、前記第１カムフォロアと前記第１嵌合部とは、前記第１保持部材の異なる位置にそれぞれ配置され、前記第２カムフォロアと前記第２嵌合部とは、前記第２保持部材の異なる位置にそれぞれ配置されるレンズ鏡筒が提供される。
【０００５】
本発明の第二態様として、案内軸と、第１光学部材を保持する第１保持部材と、前記第１保持部材の第１位置に設けられ、前記案内軸と摺動可能に嵌合する第１嵌合部と、前記第１保持部材の第２位置に設けられる第１カムフォロアと、第２光学部材を保持する第２保持部材と、前記第２保持部材の第３位置に設けられ、前記案内軸と摺動可能に嵌合する第２嵌合部と、前記第２保持部材の第４位置に設けられる第２カムフォロアと、前記第１嵌合部と前記第２嵌合部とを前記案内軸の軸方向に付勢する付勢部と、を備えるレンズ鏡筒が提供される。
【０００６】
本発明の第三態様として、案内軸と、案内軸に対して摺動可能に嵌合する嵌合部とカムフォロアとを有し、レンズを保持するレンズ保持枠と、嵌合部を付勢する付勢部と、を備え、レンズ保持枠は、付勢部によって、カムフォロアを中心とした回転方向に移動可能であるレンズ鏡筒が提供される。
【０００７】
本発明の第四態様として、上記レンズ鏡筒を備える撮像装置が提供される。
【０００８】
上記の発明の概要は、本発明の必要な特徴の全てを列挙したものではない。これら特徴群のサブコンビネーションもまた発明となり得る。
【図面の簡単な説明】
【０００９】
【図１】レンズ鏡筒１００の断面図である。
【図２】固定筒１４０およびカム筒１５０の関係を示す斜視図である。
【図３】図２の上面から見たレンズ鏡筒１００の部分的な平面図である。
【図４】図３のレンズ枠１６５の拡大図である。
【図５】他のレンズ鏡筒１００の部分的な平面図である。
【図６】レンズ鏡筒を備えた撮像装置３００を模式的に示す図である。
【発明を実施するための形態】
【００１０】
以下、発明の実施の形態を通じて本発明を説明するが、以下の実施形態は特許請求の範囲に係る発明を限定するものではない。また、実施形態の中で説明されている特徴の組み合わせの全てが発明の解決手段に必須であるとは限らない。
【００１１】
図１はレンズ鏡筒１００を、光軸を含む平面で切った断面図である。また、図１の上側は第１群１１０が後退した状態を、図１の下側は第１群１１０が前進した状態を示す。
【００１２】
レンズ鏡筒１００は、その光軸Ｃに対して同軸に配置された固定筒１４０、カム筒１５０、摺動筒１１６およびズームリング１２０を備える。固定筒１４０は、図中で右側に当たる後端にマウント部１４４を有する。マウント部１４４は、カメラ等のボディに設けられたマウントと嵌合して、固定筒１４０を支持する。
【００１３】
また、固定筒１４０は，図中で左側に当たる前端近傍において、外周側に一対の案内軸１４２を備える。両端を支持部である固定筒１４０に支持された案内軸１４２は光軸と平行に配される。更に、固定筒１４０および案内軸１４２の間には、固定筒１４０の外周面に沿ってカム筒１５０が配される。
【００１４】
一方、案内軸１４２の外側には、摺動筒１１６が配される。摺動筒１１６は、レンズ鏡筒１００の径方向内側に向かって延在する二つの嵌合部１１８と単一のＵ溝１１９とを有する。図示の例では、嵌合部１１８およびＵ溝１１９は、案内軸１４２に沿って配置される。嵌合部１１８およびＵ溝１１９の各々は、案内軸１４２に嵌合する。これにより、摺動筒１１６は、案内軸１４２に案内されて、光軸Ｃに平行な方向に沿って移動する。
【００１５】
摺動筒１１６は、外面に雄リード１１３を有する。雄リード１１３は、リードリング１１４の内周面の雌リードに係合する。これにより、リードリング１１４は、摺動筒１１６とともに光軸Ｃに平行な方向に沿って移動し、フォーカシングを行う。
【００１６】
リードリング１１４は、摺動筒１１６の外側で、案内軸１４２の前方まで延在して、レンズ枠１１２を内側に保持する。レンズ枠１１２は前玉１１１を保持する。このような構造により、摺動筒１１６の移動に伴って、前玉１１１も移動する。なお、前玉１１１は、単一のレンズとは限らず、複数のレンズを組み合わせたレンズ群であり得る。
【００１７】
リードリング１１４の外側には、ズームリング１２０が配される。ズームリング１２０にはユーザにより捕まれる滑り止め１２２が配される。ズームリング１２０には径方向内側に向かって延在する係止突起１２４が設けられており、係止突起１２４とカム筒１５０の係合部１５６とは回転方向に係止されている。
【００１８】
なお、ズームリング１２０の後端と固定筒１４０のマウント部１４４との間は、カバー部１４６により覆われて、レンズ鏡筒１００の内部への塵芥等の侵入を防止する。カバー部１４６は、固定筒１４０に対して固定されており回転しない。
【００１９】
レンズ鏡筒１００はさらに第２群１６０および第３群１７０を有する。また、レンズ鏡筒１００は、両端を支持部である固定筒１４０に支持されることにより光軸に平行に配された一対の案内軸１６１、１６３を有する。
【００２０】
第２群１６０は、絞り部１６４と、第１の光学部材であるレンズ１６６と、レンズ１６６の振動を補正する振動補正部１６２と、振動補正部１６２を介してレンズ１６６を保持する第１のレンズ保持部材であるレンズ枠１６５とを有する。レンズ枠１６５は、案内軸１６１に摺動可能に嵌合する丸穴が設けられた嵌合部１６７を有する。嵌合部１６７は、案内軸１６１の延伸方向に沿って二つ設けられる。レンズ枠１６５はさらに、嵌合部１６７の光軸Ｃに対して反対側に設けられた案内軸１６３と嵌合する単一のＵ溝１６９を有する。これにより第２群１６０が案内軸１６１、および案内軸１６１に摺動可能に支持される。レンズ枠１６５はさらに径方向に突出した駆動用カムフォロア１６８を有する。
【００２１】
第３群１７０は、第２の光学部材であるレンズ１７６と、レンズ１７６を保持する第２のレンズ保持部材であるレンズ枠１７５とを有する。レンズ枠１７５は、レンズ枠１６５と同様に、案内軸１６１に摺動可能に嵌合する丸穴が設けられた嵌合部１７７を有する。嵌合部１７７は、案内軸１６１の延伸方向に沿って二つ設けられる。レンズ枠１６５はさらに、案内軸１６３と嵌合する単一のＵ溝１７９とを有する。これにより第３群１７０も案内軸１６１、および案内軸１６３に摺動可能に支持される。レンズ枠１７５もさらに径方向に突出した駆動用カムフォロア１７８を有する。
【００２２】
レンズ枠１６５とレンズ枠１７５の間に、レンズ枠１６５およびレンズ枠１７５に当接する付勢部材１８０が配されている。付勢部材１８０の一例は、ＳＵＳ製の圧縮コイルバネである。付勢部材１８０は、案内軸１６１が挿入されることにより、当該案内軸１６１に支持される。付勢部材１８０は、レンズ枠１６５とレンズ枠１７５をお互いに離れる方向に付勢している。
【００２３】
図２は、固定筒１４０およびカム筒１５０の関係を示す斜視図である。カム筒１５０は、複数のカム溝１５１、１５３、および１５４を有する。
【００２４】
なお、カム筒１５０のカム溝１５１、１５３、１５４が形成されていない領域は、取り除かれて切欠き部１５８となっている。これにより、レンズ鏡筒１００を軽量化できると共に、カム筒１５０の材料も節約できる。
【００２５】
カム筒１５０は、固定筒１４０の外面に沿って装着される。ズームリング１２０が回転されると、ズームリング１２０の係止突起１２４と、カム筒１５０の係合部１５６との回転方向の係止により、固定筒１４０の周面に沿ってカム筒１５０は回転する。更にその外周に摺動筒１１６が配される。また、カム筒１５０および摺動筒１１６の間には、案内軸１４２が配される。摺動筒１１６は、レンズ鏡筒１００の径方向内側に向かって突出する駆動用カムフォロア１１７を有する。
【００２６】
駆動用カムフォロア１１７は、カム筒１５０のカム溝１５１に挿入され、駆動用カムフォロア１１７はカム溝１５１に係合している。カム筒１５０が回転すると、カム溝１５１と駆動用カムフォロア１１７との相互作用により、駆動用カムフォロア１１７は光軸Ｃの方向に駆動される。駆動用カムフォロア１１７は摺動筒１１６の一部であるので、カム筒１５０の回転によって摺動筒１１６は光軸Ｃに沿って移動する。
【００２７】
同様に駆動用カムフォロア１６８もカム溝１５３に挿入され、駆動用カムフォロア１６８はカム溝１５３に係合している。カム筒１５０が回転するとレンズ枠１６５は光軸Ｃに沿って移動する。
【００２８】
同様に駆動用カムフォロア１７８もカム溝１５４に挿入され、駆動用カムフォロア１７８はカム溝１５４に係合している。カム筒１５０が回転するとレンズ枠１７５は光軸Ｃに沿って移動する。
【００２９】
カム筒１５０のカム溝１５３、１５４は互いに異なるプロファイルを有する。よって、カム筒１５０の回転によりレンズ枠１６５とレンズ枠１７５との離間距離は変化する。また、固定筒１４０にはレンズ枠１６５、およびレンズ枠１７５が固定筒１４０に対して移動できるように開口部１４１が設けられている。
【００３０】
図３は図２の上面から見たレンズ鏡筒１００の部分的な平面図である。また、図４は図３のレンズ枠１６５の拡大図である。
【００３１】
レンズ枠１６５に設けられた駆動用カムフォロア１６８、およびレンズ枠１７５に設けられた駆動用カムフォロア１７８は案内軸１６１の軸線からずれた位置に設けられている。また、駆動用カムフォロア１６８、および駆動用カムフォロア１７８は案内軸１６１に対して互いに反対側に配されている。
【００３２】
製造時の各部品公差のばらつきを考慮しつつ、スムーズな動作を保障するため、カム溝１５３の幅寸法は駆動用カムフォロア１６８の直径寸法に対して大きくしており、また、嵌合部１６７の穴径寸法は案内軸１６１の軸径に対して大きくしてある。従って、カム溝１５３と駆動用カムフォロア１６８の間には僅かな隙間があり、嵌合部１６７と案内軸１６１の間にも僅かな隙間がある。
【００３３】
付勢部材１８０はレンズ枠１６５の嵌合部１６７およびレンズ枠１７５の嵌合部１７７に当接している。よって、嵌合部１６７を有するレンズ枠１６５と嵌合部１７７を有するレンズ枠１７５とを案内軸１６１に沿って反対方向に付勢する。
【００３４】
図４に示すように、レンズ枠１６５が付勢部材１８０により付勢されると、レンズ枠１６５とともに駆動用カムフォロア１６８がカム溝１５３に当接するまで移動して、駆動用カムフォロア１６８とカム溝１５３の隙間が付勢方向側（図中の矢印４０２の方向）にガタ寄せされる。駆動用カムフォロア１６８は案内軸１６１の軸線からずれた位置に設けられているので、付勢部材１８０の付勢力によりカム溝１５３と駆動用カムフォロア１６８との当接点を支点として、さらに、レンズ枠１６５は時計回り（図中の矢印４１４の方向）に傾斜する。
【００３５】
付勢部材１８０の付勢力により、レンズ枠１６５は嵌合部１６７の内周面１８６、１８８が案内軸１６１に当接するまで時計回りに傾斜し、嵌合部１６７の穴と案内軸１６１との隙間がガタ寄せされる。レンズ枠１６５が時計回りに傾斜することで、レンズ枠１６５と一体的にレンズ１６６も同じく時計回りに傾斜する。カム溝１５３は第１の光学部材であるレンズ１６６の光軸の傾きの方向を規制する規制部として機能する。
【００３６】
同様に、レンズ枠１７５が付勢部材１８０により付勢されると、レンズ枠１７５の駆動用カムフォロア１７８とカム溝１５４の隙間が付勢方向側（図中の矢印４０４の方向）にガタ寄せされる。さらに、付勢部材１８０の付勢力により、カム溝１５４と駆動用カムフォロア１７８との当接点を支点として、レンズ枠１７５は時計回り（図中の矢印４１６の方向）に傾斜する。
【００３７】
付勢部材１８０の付勢力により、レンズ枠１７５は嵌合部１７７と案内軸１６１とが当接するまで時計回りに傾斜し、嵌合部１７７の穴と案内軸１６１との隙間がガタ寄せされる。レンズ枠１７５が時計回りに傾斜することで、レンズ枠１７５と一体的にレンズ１６６も同じく時計回りに傾斜する。カム溝１５４は第２の光学部材であるレンズ１７６の光軸の傾きの方向を規制する規制部として機能する。これにより、レンズ１６６の光軸の傾きの方向と、レンズ１７６の光軸の傾きの方向は同じ時計回りの傾斜になり、案内軸１６１に対する両レンズの光軸の傾き方向が同じになる。
【００３８】
なお、付勢部材１８０はレンズ枠１６５とレンズ枠１７５との離間距離が最大の時であっても予め定められた付勢力が発生するような付勢部材１８０を選定している。従って、付勢部材１８０は各レンズ枠の移動範囲内において付勢力をレンズ枠１６５およびレンズ枠１７５に与えることができる。また、駆動用カムフォロア１６８、１７８に対して、付勢部材１８０の付勢力に抗した外力により、カム溝１５３、１５４における図３での当接面と対向する面が駆動に抗して用いられる場合にも、駆動後に外力が解放されることにより、付勢部材１８０の付勢力によって両レンズの光軸の傾き方向が同じになる。
【００３９】
以上、本実施形態によれば、付勢部材１８０の付勢力および駆動用カムフォロア１６８、１７８の規制によりレンズ１６６の案内軸１６１に対する光軸の傾き方向と、レンズ１７６の案内軸１６１に対する光軸の傾きの方向を合わせている。これにより、レンズ１６６とレンズ１７６の案内軸１６１に対する光軸の傾きの方向を同じ方向に固定できる。各レンズの光軸の傾きを同じ方向に向けておくことができるので、結像の設計値に対するずれを小さくでき、レンズ鏡筒１００全体の光学性能を安定化できる。
【００４０】
図５は、レンズ鏡筒１００の他の例を示す部分的な平面図である。図５において図１から図４と共通の構成には同じ参照番号を付して重複する説明を省く。
【００４１】
図５においてレンズ枠１９０に設けられた駆動用カムフォロア１６８、およびレンズ枠１９２に設けられた駆動用カムフォロア１７８は案内軸１６１の軸線からずれた位置に設けられている。図３とは異なり、駆動用カムフォロア１６８、および駆動用カムフォロア１７８は案内軸１６１に対して互いに同じ側に配されている。
【００４２】
付勢部材１８２は圧縮コイルバネであり、レンズ枠１９０と固定筒１４０の間に設けられる。付勢部材１８２は、案内軸１６１が挿入されることにより保持されている。
【００４３】
付勢部材１８２はレンズ枠１９０と固定筒１４０に当接し、案内軸１６１に沿ってレンズ枠１９０を固定筒１４０の端面１４８から離間する方向（図中の矢印４０６の方向）に付勢する。
【００４４】
付勢部材１８４は引っ張りコイルバネであり、レンズ枠１９２と固定筒１４０の間に設けられる。付勢部材１８４は、案内軸１６１が挿入されることにより保持されている。
【００４５】
付勢部材１８４の両端はレンズ枠１９２の係止部１９４と、固定筒１４０の係止部１９５とに係止し、レンズ枠１９２を固定筒１４０の端面１４９に近づける方向（図中の矢印４０８の方向）に付勢する。これにより、付勢部材１８２、１８４により、嵌合部１６７を有するレンズ枠１９０と、嵌合部１７７を有するレンズ枠１９２は案内軸１６１に沿って同じ方向（図中の矢印４０６、４０８の方向）に付勢されている。
【００４６】
駆動用カムフォロア１６８も案内軸１６１の軸線からずれた位置に設けられているので、付勢部材１８２の付勢力により駆動用カムフォロア１６８とカム溝１５３の隙間がガタ寄せされるとともに、レンズ枠１９０は時計回り（図中の矢印４１８の方向）に傾斜し、嵌合部１６７の穴と案内軸１６１との隙間がガタ寄せされる。そしてレンズ枠１９０が時計回りに傾斜することで、レンズ枠１９０と一体的にレンズ１６６も同じく時計回りに傾斜する。
【００４７】
同様に、付勢部材１８４の付勢力で、駆動用カムフォロア１７８を支点とした時計回り（図中の矢印４２０の方向）の傾斜をレンズ枠１９２に与えつつ、カム溝１５４と駆動用カムフォロア１７８とのガタ、及び、嵌合部１７７と案内軸１６１とのガタが寄せられる。レンズ枠１９２が時計回りに傾斜することで、レンズ枠１９２と一体的にレンズ１７６も同じく時計回りに傾斜する。
【００４８】
レンズ枠１９０およびレンズ枠１９２に与える付勢力を案内軸１６１に沿って同じ方向にして、かつ、駆動用カムフォロア１６８、および駆動用カムフォロア１７８を案内軸１６１に対して互いに同じ側にずらして配することで、レンズ１６６の案内軸１６１に対する光軸の傾き方向と、レンズ１７６の案内軸１６１に対する光軸の傾きの方向を合わせることができる。各レンズの光軸の傾きを同じ方向に向けておくことができるので、結像の設計値に対するずれを小さくでき、レンズ鏡筒１００全体の光学性能を安定化できる。
【００４９】
なお、図１から図５の実施形態において、付勢部材１８０、１８２、１８４のいずれも案内軸１６１が挿入されて当該案内軸１６１に支持されている。これに代えて、付勢部材１８０等は、案内軸１６１が挿入されず、案内軸１６１とは別個の支持部材により支持されてもよい。なお、付勢部材１８０等が嵌合部１６７等の側に配される場合には、Ｕ溝１６９側には付勢部材１８０等を設けないことが好ましい。また、図１から図５の実施形態において、駆動用カムフォロア１６８等がカム溝１５３等に当接することでレンズ枠１６５等の傾斜の方向が規制される。
【００５０】
図６は、レンズ鏡筒１００を備えた撮像装置３００の構造を模式的に示す図である。なお、図６においては、図面が煩雑になることを避ける目的で、レンズ鏡筒１００を模式的に記載した。しかしながら、図６におけるレンズ鏡筒１００は、図１に示したレンズ鏡筒１００と同じ構造を有する。そこで、同じ構成要素には同じ参照番号を付して重複する説明を省いた。
【００５１】
レンズ鏡筒１００は、マウント部２６０を介して、撮像部２００に対して着脱自在に装着される。なお、撮像装置３００において、レンズ鏡筒１００および撮像部２００は、図示していない接続端子を介して電気的にも結合される。これにより、レンズ鏡筒１００は、撮像部２００から電力を供給される。また、レンズ鏡筒１００に副制御部を設けて、撮像部２００の主制御部２５０と相互に信号を交換する場合もある。
【００５２】
撮像部２００は、主鏡２４０、ペンタプリズム２７０、接眼光学系２９０を含む光学系と、主制御部２５０とを収容する。主鏡２４０は、レンズ鏡筒１００の光学系１０１を介して入射した入射光の光路上に傾斜して配置される待機位置と、入射光を避けて上昇する撮影位置（図中に点線で示す）との間を移動する。
【００５３】
待機位置にある主鏡２４０は、入射光の大半を、上方に配置されたフォーカシングスクリーン２７２に導く。フォーカシングスクリーン２７２は、レンズ鏡筒１００の光学系１０１の合焦位置に配置され、光学系１０１により形成された画像を結像させる。
【００５４】
フォーカシングスクリーン２７２に結像された画像は、ペンタプリズム２７０を介して接眼光学系２９０から観察される。これにより、接眼光学系２９０からは、フォーカシングスクリーン２７２上の映像を正像として見ることができる。
【００５５】
ペンタプリズム２７０および接眼光学系２９０の間には、ファインダＬＣＤ２９４に形成された表示画像を、フォーカシングスクリーン２７２の映像に重畳させるハーフミラー２９２が配置される。これにより、接眼光学系２９０の出射端においては、フォーカシングスクリーン２７２の映像と、ファインダＬＣＤ２９４の映像とを併せて見ることができる。なお、ファインダＬＣＤ２９４には、撮像装置３００の撮影条件、設定条件等の情報が表示される。
【００５６】
また、ペンタプリズム２７０の出射光の一部は、測光部２８０に導かれる。測光部２８０は、入射光の強度およびその分布等を測定して、撮影条件を決定する場合に測定結果を参照させる。
【００５７】
一方、入射光の入射面に対する主鏡２４０の裏面には、副鏡２４２が配置される。副鏡２４２は、主鏡２４０を透過した入射光の一部を、下方に配置された測距部２３０に導く。これにより、主鏡２４０が待機位置にある場合は、測距部２３０が被写体までの距離を測定する。なお、主鏡２４０が撮影位置に移動した場合は、副鏡２４２も入射光の光路から退避する。
【００５８】
レンズ鏡筒１００からの入射光に対して主鏡２４０の後方には、シャッタ２２０、光学フィルタ２１２および撮像素子２１０が順次配置される。シャッタ２２０が開放される場合は、その直前に主鏡２４０が撮影位置に移動するので、入射光は直進して撮像素子２１０に入射される。これにより、入射光の形成する画像が、撮像素子２１０において電気信号に変換される。
【００５９】
また、撮像部２００は、レンズ鏡筒１００に対して背面において、外部に面したメインＬＣＤ２９６を備える。メインＬＣＤ２９６は、撮像部２００に対する各種の設定情報を表示する他、主鏡２４０が撮影位置に移動している場合に撮像素子２１０に形成された画像を表示することもできる。
【００６０】
主制御部２５０は、上記のような種々の動作を総合的に制御する。また、撮像部２００側の測距部２３０が検出した被写体までの距離の情報を参照して、レンズ鏡筒１００を駆動するオートフォーカス機構を形成できる。更に、測距部２３０がレンズ鏡筒１００の動作量を参照して、フォーカスエイド機構を形成することもできる。
【００６１】
以上、撮像装置３００によれば、レンズ鏡筒１００の上記効果を、撮像装置３００においても享受できる。レンズ鏡筒１００の用途がこれに限られるわけではなく、例えば、動画撮影機、双眼鏡、顕微鏡、測量器等の光学系において、合焦機構、ズーム機構等に使用できる。
【００６２】
以上、本発明を実施の形態を用いて説明したが、本発明の技術的範囲は上記実施の形態に記載の範囲には限定されない。また、上記実施の形態に、多様な変更または改良を加え得ることが当業者に明らかである。更に、変更または改良を加えた形態も本発明の技術的範囲に含まれ得ることは、特許請求の範囲の記載から明らかである。
【符号の説明】
【００６３】
１００  レンズ鏡筒、１０１  光学系、１１０  第１群、１１１  前玉、１１２  レンズ枠、１１３  雄リード、１１４  リードリング、１１６  摺動筒、１１７、１６８、１７８  駆動用カムフォロア、１１８  嵌合部、１１９  Ｕ溝、１２０  ズームリング、１２２  滑り止め、１２４  係止突起、１４０  固定筒、１４１  開口部、１４２、１６１、１６３  案内軸、１４４  マウント部、１４６  カバー部、１４８、１４９  端面、１５０  カム筒、１５１、１５３、１５４  カム溝、１５６  係合部、１５８  切欠き部、１６０  第２群、１６２  振動補正部、１６４  絞り部、１６５、１７５、１９０、１９２  レンズ枠、１６６、１７６  レンズ、１６７、１７７  嵌合部、１６９、１７９  Ｕ溝、１７０  第３群、１８０、１８２、１８４  付勢部材、１８６、１８８  内周面、１９４、１９５  係止部、２００  撮像部、２１０  撮像素子、２１２  光学フィルタ、２２０  シャッタ、２３０  測距部、２４０  主鏡、２４２  副鏡、２５０  主制御部、２６０  マウント部、２７０  ペンタプリズム、２７２  フォーカシングスクリーン、２８０  測光部、２９０  接眼光学系、２９２  ハーフミラー、２９４  ファインダＬＣＤ、２９６  メインＬＣＤ、３００  撮像装置、４０２、４０４、４０６、４０８、４１４、４１６、４１８、４２０  矢印
【図１】
2018169634.tif 000003
【図２】
2018169634.tif 000004
【図３】
2018169634.tif 000005
【図４】
2018169634.tif 000006
【図５】
2018169634.tif 000007
【図６】
2018169634.tif 000008